(57)【要約】      （修正有）【課題】誘引紐を誘引具に連結する作業において、誘引紐を結束するような結び付け作業を省略することが可能でありながら、誘引紐の始端部を短時間で連結することができる植栽用誘引具を提供する。【解決手段】誘引具Ａを１本の金属製の線材を折り曲げて形成する。誘引紐を巻き付け可能な紐連結部５０が折返し状に設け、この紐連結部５０における一対の対向線材の相互間隙間の最大広さを、当該隙間に挿入した誘引紐の横ずれを生じさせない広さに定める。紐連結部５０に、紐挿入口と呼込みガイド部５６とを設ける。【選択図】図２
0003213883.tif 000002
【実用新案登録請求の範囲】
【請求項１】
架設線に係止させるフック部と植物を吊す誘引紐が繰り出し可能に巻き付けられる紐巻き部とが、１本の金属製の線材に曲げ加工を施すことにより形成されてなる植栽用誘引具であって、
上記線材に、上記誘引紐の始端部を巻き付け可能な紐連結部が折返し状に設けられ、この紐連結部における一対の対向線材の相互間隙間の最大広さが、当該隙間に挿入された上記誘引紐の始端部の横ずれを生じさせない広さに定められていることを特徴とする植栽用誘引具。
【請求項２】
上記紐連結部では、一対の上記対向線材が折れ曲がり部を介して連結され、かつ、その折れ曲がり部から延び出た一対の上記対向線材のうちの一方側線材が、上記折れ曲がり部から遠ざかるほど他方側線材に近付く形状を有して、それらの一方側線材の延出端と他方側線材との相互間に上記誘引紐の始端部を割り入れ挿入可能な紐挿入口が形成されている請求項１に記載した植栽用誘引具。
【請求項３】
上記紐連結部では、一方側線材の上記延出端に、先端に近付くほど上記他方側線材から遠ざかるように傾斜した呼込みガイド部がさらに延出されている請求項２に記載した植栽用誘引具。
【請求項４】
上記紐巻き部が、外向きに拡がる形状を有して対向する一対の谷形部によって形成されていてそれらの谷形部の凹入空間が誘引紐収容部とされ、上記フック部が、一対の上記谷形部のうちの少なくとも１つの谷形部とその谷形部の端部に連設された折曲げ部とによって内拡がり形状に形成されている請求項２又は請求項３に記載した植栽用誘引具。
【考案の詳細な説明】
【技術分野】
【０００１】
本考案は、植栽用誘引具、詳しくは、茎系や蔓系の植物を誘引紐で吊り下げて栽培するような場合に使用される植栽用誘引具に関する。
【背景技術】
【０００２】
トマトやキュウリ、ナスなどの茎系植物をハウス栽培によって多量生産するのに際し、図１の説明図に示したように、畝１の上方に配備した金属線などでなる架設線２に誘引具Ａを装備させ、この誘引具Ａから繰り出した誘引紐３を用いて畝１で生育した植物Ｐを吊るして栽培することが行われている。このような方法を採る場合、誘引具Ａは、植物Ｐの本数に見合う必要数が架設線２に装備される。
【０００３】
図１を参照して説明した農作物の植栽法は、先行例（特許文献１参照）にも記載されている。この特許文献１には、上記した図１の誘引具Ａに相当する部材として誘引ヒモ取り付け用フックについての記述がある。このフックは金属製の１本の線材を折り曲げて製作されている。そして、そのフックに、誘引ヒモの一端を加工することにより形成された環状部分を引っ掛けて吊下げ、誘引ヒモの他端を農作物としてのトマトの茎に連結するようになっている。
【０００４】
一方、従来の植栽用誘引具Ａを図８に示している。このものは、フック部１０と紐巻き部２０とが１本の金属製の線材に曲げ加工を施すことにより形成されてなる。図例の誘引具Ａにおいて、フック部１０は上下に一対設けられていて、それら一対のフック部１０のそれぞれは対称でかつ内拡がり形状に形成されて上下方向で相対向している。そして、これらの一対のフック部１０のうちのいずれかを、畝の上方に配備された架設線（不図示）に係止させることができるようになっている。また、紐巻き部２０は、外向きに拡がる形状を有して上下方向で対向する一対の谷形部２１，２１によって形成されている。この紐巻き部２０は植物を吊す誘引紐（不図示）が繰り出し可能に巻き付けられる箇所であり、この紐巻き部２０から繰り出された誘引紐が植物に連結される。
【０００５】
図９は、図８に示した従来例としての誘引具Ａと誘引紐３の始端部との連結箇所を示した説明図である。同図のように、従来例としての誘引具Ａでは、紐巻き部２０を形成している一方側の谷形部２１に誘引紐３の始端部３１を結び付けることによって誘引具Ａと誘引紐３とを連結していた。３２は誘引紐３の始端部３１を結び付けることによって形成された結束箇所を示している。
【先行技術文献】
【特許文献】
【０００６】
【特許文献１】特開２００５−３２８８２４号公報（図１，図３）
【考案の概要】
【考案が解決しようとする課題】
【０００７】
図９を参照して説明したように、従来例としての誘引具Ａでは、誘引紐３の始端部３１を、誘引具Ａの紐巻き部２０を形成している一方側の谷形部２１に結び付けるという手段を採用していて、結び付け作業を農業従事者の手作業により行っていた。
【０００８】
しかしながら、手作業による結び付け作業は面倒で労力を必要とする作業であり、多くの誘引具Ａの一つ一つにそのような結び付け作業を行うことに長時間を要し、そのことが生産性の低下を招く一因になっていたという問題があった。
【０００９】
また、上記した特許文献１によって提案されている方法、すなわち、誘引紐の一端の環状部分をフックに引っ掛けて吊下げるという方法では、誘引ヒモの一端に環状部分を形成することに多くの時間と労力を要することが考えられる。
【００１０】
本考案は、以上の状況を改善するためになされたものであり、誘引紐の始端部を誘引具に連結する作業において、上記したような結び付け作業や誘引紐に環状部分を形成するための余分な作業を省略することが可能でありながら、誘引紐の始端部を、短時間でそれほど労力を要することなく連結することのできる誘引具を提供することを目的としている。
【課題を解決するための手段】
【００１１】
本考案に係る誘引具は、架設線に係止させるフック部と植物を吊す誘引紐が繰り出し可能に巻き付けられる紐巻き部とが、１本の金属製の線材に曲げ加工を施すことにより形成されてなる。そして、上記線材に紐連結部が設けられ、この紐連結部における一対の対向線材の相互間隙間の最大広さが、当該隙間に挿入された上記誘引紐の始端部の横ずれを生じさせない広さに定められている、というものである。
【００１２】
このように構成された誘引具によると、紐連結部を利用して誘引紐の始端部を誘引具に連結することが可能になる。すなわち、誘引具の紐連結部における一対の対向線材の相互間隙間に通した誘引紐の始端部を、その紐連結部に複数回に亘って巻き締めしたり、始端部を誘引紐の巻き締め箇所に挟み込んだりしたりするだけで、始端部が紐連結部に外れないように連結される。この点に関して、紐連結部における一対の対向線材の相互間隙間の最大広さが、当該隙間に挿入された上記誘引紐の始端部が横ずれし得る程度に広くなっていると、誘引紐の始端部を紐連結部に複数回に亘って巻き締めしたり、始端部を誘引紐の巻き締め箇所に挟み込んだりするだけでは、誘引紐が強く引っ張られたときに、巻き締め箇所が滑って緩んだりして紐連結部から外れてしまうことが確認されている。この現象は、特に、誘引紐として、ポリプロピレンなどの汎用的な長尺の樹脂紐（たとえば荷造り紐としても使われる紐）が使われる場合に顕著に生じる。
【００１３】
本考案において、上記紐連結部では、一対の上記対向線材が折れ曲がり部を介して連結され、かつ、その折れ曲がり部から延び出た一対の上記対向線材のうちの一方側線材が、上記折れ曲がり部から遠ざかるほど他方側線材に近付く形状を有して、それらの一方側線材の延出端と他方側線材との相互間に上記誘引紐の始端部を割り入れ挿入可能な紐挿入口が形成されていることが望ましい。この構成を採用すると、上記した巻き締め箇所を形成するだけで確実に誘引紐が紐連結部に連結されるだけでなく、その巻き締め箇所が紐連結部を滑って巻き締め形状のまま抜け落ちるという事態も生じない。しかも、誘引紐の始端部を紐挿入口から割り入れて紐連結部に通すことが可能であるので、紐連結部に誘引紐の始端部を通す作業を迅速に行うことができるようになる。
【００１４】
本考案において、上記紐連結部では、一方側線材の上記延出端に、先端に近付くほど上記他方側線材から遠ざかるように傾斜した呼込みガイド部がさらに延出されていることが望ましい。これによれば、誘引紐の始端部を紐挿入口から割り入れる作業を、呼込みガイド部を利用してさらに容易に行うことができるようになる。
【００１５】
本考案では、上記紐巻き部が、外向きに拡がる形状を有して対向する一対の谷形部によって形成されていてそれらの谷形部の凹入空間が誘引紐収容部とされ、上記フック部が、一対の上記谷形部のうちの少なくとも１つの谷形部とその谷形部の端部に連設された折曲げ部とによって内拡がり形状に形成されている、という構成を採用することが可能である。この構成を採用すると、図８で説明した従来例としての誘引具に、紐連結部を追加するだけで済む。
【考案の効果】
【００１６】
以上説明したように、本考案に係る誘引具によれば、紐連結部における一対の対向線材の相互間隙間に通した誘引紐の始端部を、その紐連結部に複数回に亘って巻き締めしたり、始端部を誘引紐の巻き締め箇所に挟み込んだりするだけで、始端部が紐連結部に外れないように連結される。そのため、誘引紐の始端部を誘引具に連結する作業において、誘引紐の始端部の結び付け作業を行ったり誘引紐の一端部に環状部分を形成したりする必要がなくなり、誘引紐の始端部を、短時間でそれほど労力を要することなく誘引具に連結することのできるようになる。
【図面の簡単な説明】
【００１７】
【図１】誘引具を用いた一般的な植栽方法の説明図
【図２】本考案の実施形態に係る誘引具の正面図である。
【図３】本考案の他の実施形態に係る誘引具の正面図である。
【図４】図１の要部の拡大図である。
【図５】誘引具と誘引紐の始端部との連結箇所を示した説明図である。
【図６】誘引具の使用状態の説明図である。
【図７】誘引具の使用状態の説明図である。
【図８】従来の植栽用誘引具の正面図である。
【図９】従来例としての誘引具と誘引紐の始端部との連結箇所を示した説明図である。
【考案を実施するための形態】
【００１８】
図１は誘引具Ａを用いた一般的な植栽方法の説明図である。また、図２は本考案の実施形態に係る誘引具Ａの正面図、図３は本考案の他の実施形態に係る誘引具Ａの正面図である。
【００１９】
図２の誘引具Ａは、フック部１０とその側方の紐巻き部２０とが１本の金属製の線材に曲げ加工を施すことにより形成されてなる。図例の誘引具Ａにおいて、フック部１０は上下に一対設けられていて、それら一対のフック部１０のそれぞれは対称でかつ内拡がり形状に形成されて上下方向で相対向している。そして、これらの一対のフック部１０のうちのいずれかを、畝の上方に配備された架設線（不図示）に係止させたり、係止させたまま横ずれさせることができるようになっている。また、紐巻き部２０は、外向きに拡がる形状を有して上下方向で対向する一対の谷形部２１，２１によって形成されていて、それらの谷形部２１，２１の凹入空間が誘引紐収容部２２，２２とされている。この紐巻き部２０は植物を吊す誘引紐（不図示）が繰り出し可能に巻き付けられる箇所であり、この紐巻き部２０から繰り出された誘引紐が植物に連結される。そして、紐巻き部２０を形成している上下の一対の谷形部２１，２１が、上下方向に長い真直ぐな連結バー部４０を介して連続している。この誘引具Ａにおいて、上記線材の１箇所に紐連結部５０が設けられていて、この紐連結部５０における一対の対向線材の相互間には隙間Ｓが形成されている。 なお、図例の誘引具Ａにおいて、上記の「一対のフック部１０のそれぞれは内拡がり形状に形成されている」とは、上側のフック部１０については下方向に向かって拡がり形状に形成され、下側のフック部１０については上方向に向かって拡がり形状に形成されている、ということを意味している。また、上記の一対の谷形部２１，２１について、「外向きに拡がる形状」とは、上側の谷形部２１については上向きに拡がる形状、下側の谷形部２１については下向きに拡がる形状をそれぞれ意味している。
【００２０】
図４は図１の要部の拡大図である。同図に示したように、紐連結部５０における一対の対向線材の相互間に形成されている隙間Ｓの最大広さＤは、誘引紐３の始端部３１がこの隙間Ｓに挿入された状態で、その始端部３１の横ずれを生じさせない広さに定められている。たとえば、誘引紐３としてポリプロピレンなどの汎用的な長尺の樹脂紐が使われる場合において、上記隙間Ｓの最大広さＤは、その樹脂紐の直径寸法と同程度の寸法に定められている。具体的な上記隙間Ｓの最大広さＤは２ｍｍ程度に定められている。
【００２１】
図４に明確に示したように、上記紐連結部５０では、一対の対向線材５２，５３が湾曲した折れ曲がり部５１を介して連結され、かつ、その折れ曲がり部５１から延び出た一対の上記対向線材５２，５３のうちの一方側線材５２が、その折れ曲がり部５２から遠ざかるほど他方側線材５３に近付く真っ直ぐな形状を有している。そして、それらの一方側線材５２の延出端５４と他方側線材５３との相互間に誘引紐３の始端部３１を割り入れ挿入可能な紐挿入口５５が形成されている。図示例では、この紐挿入口５５が常時開口した隙間によって形成されているけれども、一方側線材５２の延出端５４を他方側線材５３に接触させて隙間をなくしておいてもよい。こうしておいても、一方側線材５２の弾性を利用してその一方側線材５２を押し広げながら紐挿入口５５から誘引紐３の始端部３１を割り入れ挿入することが可能である。
【００２２】
さらに、図４のように、紐連結部５０では、一方側線材５２の延出端５４に、先端に近付くほど他方側線材５３から遠ざかるように傾斜した呼込みガイド部５６がさらに延出されている。こうしておくと。誘引紐３の始端部３１を紐挿入口５５から割り入れる作業を、呼込みガイド部５６を利用して容易に行うことができるようになる。
【００２３】
図５は誘引具Ａと誘引紐３の始端部３１との連結箇所を示した説明図である。同図では、紐連結部５０における一対の対向線材５２，５３の相互間隙間に通した誘引紐３の始端部３１を、湾曲状の折れ曲がり部５１やその近傍箇所に複数回に亘って巻き付けて締め付けてある（巻き締めしている状態を指している）と共に、始端部３１を誘引紐３の巻き締め箇所に挟み込んでいる。このようにすると、誘引紐３を結び付けたりしなくても、その始端部３１が紐連結部５０に外れないように確実に連結されることを確認している。また、紐連結部５０における一対の対向線材５２，５３の相互間隙間に通した誘引紐３の始端部３１を、湾曲状の折れ曲がり部５１やその近傍箇所に複数回に亘って巻き付けて締め付けておくだけでも、その始端部３１が紐連結部５０に外れないように確実に連結されることを確認している。
【００２４】
誘引紐３の始端部３１を紐連結部５０に巻き締めするときには、紐連結部５０の呼び込みガイド５６を利用することによって、その始端部３１を紐挿入口５５から容易に紐連結部５０に割り入れすることが可能である。そのため、誘引紐３の始端部３１を一対の対向線材５２，５３の相互間隙間Ｓに刺し通す必要はない。
【００２５】
始端部３１を紐連結部５０に巻き締めして連結した誘引紐３は、必要な長さ分が紐巻き部２０に巻き付けられる。そして、紐巻き部２０から繰り出された誘引紐３の終端部が植物の茎や蔓に連結されて、植物が誘引紐３で吊り下げられる。
【００２６】
図６及び図７は誘引具Ａの使用状態の説明図である。このうち、図６は、誘引具Ａに備わっている一対のフック部１０，１０のうちの紐連結部５０が設けられていない側のフック部１０を、畝（不図示）の上方に配備した金属線などでなる架設線２に係止させた状態を締めしている。この状態において、誘引具Ａの紐巻き部２０に巻き付けられている誘引紐３は、植物の生育に応じて紐巻き部２０から必要長だけ繰り出される。また、植物の生育に見合って、フック部１０を架設線２に引っ掛けたまま誘引具Ａを横ずれさせたりすることが行われる。図７は、誘引具Ａに備わっている一対のフック部１０，１０のうちの紐連結部５０が設けられている側のフック部１０を、上記架設線２に誘引具Ａを係止させた状態を締めしている。この状態においても、誘引具Ａの紐巻き部２０に巻き付けられている誘引紐３は、植物の生育に応じて紐巻き部２０から必要長だけ繰り出されたり、植物の生育に見合って、フック部１０を架設線２に引っ掛けたまま誘引具Ａを横ずれさせたりすることが行われる。また、誘引具Ａの一対のフック部１０，１０のうちの一方のフック部１０を図６のように架設線２に引っ掛けた状態で植物を一定期間栽培し、その後に、植物の生育状況に応じて、誘引具Ａを反転させて他方のフック部１０を図７のように架設線２に引っ掛けた状態で植物を栽培することも可能である。したがって、植物の生育状況に応じて誘引具Ａを反転させることによって、紐巻き部２０から誘引紐３を所定長さだけ繰り出すことも可能になる。
【００２７】
以上説明した実施形態の誘引具Ａは、一対のフック部１０，１０を有しているけれども、フック部は１つであってもよい。また、紐連結部５０は、誘引具Ａを形成している一本の金属製の線材のどの箇所に設けておいてもよい。たとえば、図２などに示した連結バー部４０の１箇所に設けておいても、図示例のように一方側谷形部２１に連設された箇所であって誘引具Ａを形成している一本の金属製の線材の端部に設けておいてもよい。
図３に示した誘引具Ａは紐連結部５０の向きを、図２に示した誘引具Ａとは異ならせているだけである。誘引具Ａとしてのその他の構成や作用は上記した物と同様である。
【符号の説明】
【００２８】
Ａ  誘引具
２  架設線
３  誘引紐
１０  フック部
２０  紐巻き部
２１  谷形部
２２  誘引紐収容部
５０  紐連結部
５１  折れ曲がり部
５２  紐連結部の対向線材
５３  紐連結部の対向線材（折曲げ部）
５５  紐挿入口
５６  呼込みガイド部
Ｄ  一対の対向線材相互間隙間
【図１】
0003213883.tif 000003
【図２】
0003213883.tif 000004
【図３】
0003213883.tif 000005
【図４】
0003213883.tif 000006
【図５】
0003213883.tif 000007
【図６】
0003213883.tif 000008
【図７】
0003213883.tif 000009
【図８】
0003213883.tif 000010
【図９】
0003213883.tif 000011